(57)【要約】 【課題】  本発明は、真木あり瓦棒屋根における雪止め具の取付装置に関するものである。 【解決手段】  真木の一側面部に対して固定する取付具１に設けた垂直面部２の上辺部から水平に曲折した下水平面部４の一部に真木への釘孔３を設け、前記取付具の下水平面部に立設する直立部５からさらに上水平面部６を形成し、この上水平面部と下水平面部との間に前記直立部をはさんで空間部７を形成し、前記上水平面部の一端部内側に下向き発条材９を設け、前記上水平面部の一端部には垂直片部１２を形成して通口１３を設け、前記下水平面部と垂直部と上水平面部とによって構成した取付具の空間部内に前記下向き発条材を介してＬ形材を嵌挿するように成るものである。【選択図】    図１
2019073933.tif 000002
【特許請求の範囲】
【請求項１】
真木の一側面部に対して固定する取付具に設けた垂直面部の上辺部から水平に曲折した下水平面部の一部に真木への釘孔を設け、前記取付具の下水平面部に立設する直立部からさらに上水平面部を形成し、この上水平面部と下水平面部との間に前記直立部をはさんで空間部を形成し、前記上水平面部の一端部内側に下向き発条材を設け、前記上水平面部の一端部には垂直片部を形成して通口を設け、前記下水平面部と垂直部と上水平面部とによって構成した取付具の空間部内に前記下向き発条材を介してＬ形材を嵌挿して成ることを特徴とする真木あり瓦棒屋根における雪止め具の取付装置。
【発明の詳細な説明】
【技術分野】
【０００１】
本発明は、真木あり瓦棒屋根における雪止め具の取付装置に関するものである。
【背景技術】
【０００２】
わが国の建築物の屋根において、真木を有する瓦棒葺屋根への雪止め具の取付け施工をすることは、雪止め具と真木との間に隙間が生ずることから、この欠点を解消することが業界の課題となっていた。
【０００３】
そこで、この課題を解決するためには、いかなる改良技術が公知になっていたかについて調査すると、次のような公報が発行されていた。
【先行技術文献】
【特許文献】
【０００４】
【特許文献１】特許第４２２７９４０号公報
【特許文献２】登録実用新案第２５０３２８５号公報
【特許文献３】特開平７−２７９３３４号公報
【特許文献４】実公平５−３８１８５号公報
【特許文献５】実開平２−７４４２３号公報
【特許文献６】特許第３３５２９９１号公報
【特許文献７】意匠登録第７６７９７３号公報
【０００５】
これら公知技術の要旨は、それぞれ次のとおりである。
【０００６】
特許文献１は、屋根用雪止め金具であり、Ｌ形材を差し入れる嵌入部に、押圧する板バネと、板バネの挟持位置の変化を調整できる押圧ネジを備えていることが開示されている。
【０００７】
特許文献２は、屋根に一端側が釘止めされる屋根用雪止め金具であり、長溝状嵌入部によるＬ形材止着部を備えるとともに、その嵌入部内にバネ板を設け、ここにＬ形材を嵌入することにより挟持保持することが記載されている。
【０００８】
特許文献３は、雪滑り止め金具であり、Ｌ形材の装着溝を有するＬ形材止着部を有し、その側方に屋根面に釘止め固定される屋根面止着部を設けた構造で、さらにＬ形材止着部にＬ形材離脱抑止突起を設けたことが記載されている。
【０００９】
特許文献４は、折版屋根用雪止め金具であり、一端に設けたボルト孔により屋根側にボルト止めされるとともに他端側に長溝状のＬ形材挟持部を有し、これにＬ形材が差し込まれることによって挟持されることが記載されている。
【００１０】
特許文献５は、屋根に固定し雪の荷重が一定を超える場合、雪止め杆を回動させて雪を滑落することが可能な雪止め具を屋根面に固定することが開示されている。
【００１１】
特許文献６は、屋根板材に固定される止め金具であり、屋根板材本体部側の起立した被係合部に係合する折返し部の片側に位置する固定部を屋根側に釘等で固定する構造などが記載されているが、雪止め具としての作用を有するものではない。
【００１２】
特許文献７は、本件出願人がかつて創作した真木あり屋根用羽根板型雪止め具の意匠である。
【００１３】
しかし、（１）真木に対し片側方から寄せて釘打ちし取付金具との間隙を生じさせないこと、（２）通口部にＴＶアンテナ等の固定用ワイヤーを固着すること、（３）雪止めＬ形材の設置をワンタッチで行うこと、の全部の要件を具備する技術は、これらの関係公報中には認められないのである。
【発明の概要】
【発明が解決しようとする課題】
【００１４】
そこで、本発明は、前記３要件を具備した雪止め具の取付装置を、特に真木あり瓦棒屋根用に提供することを目的とするものである。
【課題を解決するための手段】
【００１５】
本発明は、真木の一側面部に対して固定する取付具に設けた垂直面部の上辺部から水平に曲折した下水平面部の一部に真木への釘孔を設け、前記取付具の下水平面部に立設する直立部からさらに上水平面部を形成し、この上水平面部と下水平面部との間に前記直立部をはさんで空間部を形成し、前記上水平面部の一端部内側に下向き発条材を設け、前記上水平面部の一端部には垂直片部を形成して通口を設け、前記下水平面部と垂直部と上水平面部とによって構成した取付具の空間部内に前記下向き発条材を介してＬ形材を嵌挿するように成るものである。
【発明の効果】
【００１６】
真木を有する瓦棒屋根面において構成した取付具の狭い空間部に雪止め用のＬ形材を簡単かつ確実に配置することができるから、取付装置として長期間にわたり安全に維持することができ、またＴＶアンテナ等の固定用ワイヤーの取付け張設を安全かつ確実に行うことができる。
【図面の簡単な説明】
【００１７】
【図１】取付具の正面図
【図２】取付具の平面図
【図３】取付具の左側面図
【図４】真木に対する取付具との関係図
【図５】真木の一部に取付ける取付具の状態図
【図６】真木の一部に固着した取付具の状態図
【図７】真木上の取付具に取付けるＬ形材の状態図
【発明を実施するための形態】
【００１８】
真木ありの瓦棒屋根における真木に本取付具を固着することは、取付具の垂直面部を釘打ちすることによって確実に固定することができる。
【００１９】
また、取付具における上水平面部に形成した垂直片部に設けた通孔は、ＴＶアンテナ等のワイヤ取付けのために使用することができる。
【００２０】
また、長尺のＬ形材を雪止め用に取付ける作業を短時間のうちに確実に行うことができる。
【実施例】
【００２１】
ａは真木であり、本発明の内容は、真木を有する瓦棒葺屋根面への取付けを想定しているものである。
【００２２】
１は四角形に成る真木ａの一側面部に対して釘着固定する取付具で、この取付具の垂直面部２には釘孔３・・を設け、釘３’・・を打ち込む。
【００２３】
４は前記取付具１の垂直面部２の上辺部から水平に曲折した下水平面部で、下水平面部から直立部５を立設し、この直立部からさらに上水平面部６を形成し、この上水平面部６と下水平面部４との間には直立部５をはさんで空間部７を形成する。
【００２４】
８は前記上水平面部６の一端部内側に設けた下向き発条材で、この下向き発条材の突出部は後記Ｌ形材ｂの一面部を圧接するようになる。
【００２５】
９は前記取付具１の上水平面部６に形成した補強凸部であり、また取付具１の上水平面部６と垂直面部２と下水平面部４との間には補強凹部１０，１０を形成する。
【００２６】
１１は前記下向き発条材８の一側部の固定子であり、この下向き発条の他側部は固定されず開放されている。
【００２７】
１２は前記取付具１の上水平面部６の一端部に形成した垂直片部で、この垂直片部には通口１３を設け、ＴＶアンテナ等の固定用ワイヤーを取付ける。
【００２８】
１４は前記取付具１の垂直片部１２の下側部延長線上に形成した細巾部で、この細巾部は前記上水平面６と平行に形成する。
【００２９】
ｂは前記下水平面部４と垂直部２と上水平面部６とによって構成する取付具１の空間部７内に前記下向き発条材８に当接しながら嵌挿する雪止め用Ｌ形材である。
【符号の説明】
【００３０】
１                          取付具
２                          垂直面部
３・・                      釘孔
３’・・                    釘
４                          下水平面部
５                          直立部
６                          上水平面部
７                          空間部
８                          下向き発条材
９                          補強凸部
１０，１０                  補強凹部
１１                        固定子
１２                        垂直片部
１３                        通口
１４                        細巾部
ａ                          真木
ｂ                          雪止め用Ｌ形材
【図１】
2019073933.tif 000003
【図２】
2019073933.tif 000004
【図３】
2019073933.tif 000005
【図４】
2019073933.tif 000006
【図５】
2019073933.tif 000007
【図６】
2019073933.tif 000008
【図７】
2019073933.tif 000009